(57)【特許請求の範囲】
【請求項１】
モータと、減速ギヤ機構と、モードギヤと、カムギヤと、カセットハウジング機構と、ローディングポールと、回転ヘッドを有する回転ドラムと、キャプスタンと、ピンチローラと、ヘッドクリーニング部材とを有し、
カセットをカセットハウジング内に挿入すると、前記モータが始動して正転し、前記減速ギヤ機構、前記モードギヤを介して前記カムギヤが回動され、前記カセットハウジング機構がカセットを装着する方向に動作され、前記カセットが途中まで移動され、セミイジェクトモードとなり、続いて、前記カセットが装着されてアンスレッドモードとなり、続いて、前記ローディングポールが前記回転ドラムに近づく方向に移動されて、磁気テープが前記カセットから引き出されて前記回転ドラムに巻付けられて停止モードとなり、続いて、前記ピンチローラが前記キャプスタンに圧着して、前記磁気テープが走行されて記録再生モードとなり、最後にヘッドクリーニング部材が前記回転ドラムに当接して回転ヘッドクリーニングモードとなり、この状態から前記モータが逆転すると、記録再生モード、停止モード、アンスレッドモード、セミイジェクトモードと変化して、最後に元のイジェクトモードとなるように動作モードを切り換えられる磁気テープ記録再生装置であって、
前記カセットが装着されたことを検出するスイッチと、
前記モードギヤの上面に形成して上面に一体に、同心円状に形成してあり、リブ部と切り欠き部とよりなる第１及び第２の環状のリブと、
夫々前記第１、第２の環状のリブを跨いで配置である第１及び第２のフォトカプラと
該スイッチの出力と該第１のフォトカプラの出力と第２のフォトカプラの出力との組み合わせに基づいて、イジェクトモード、セミイジェクトモード、アンスレッドモード、停止モード、記録再生モード、回転ヘッドクリーニングモードへの切り換わりを検出する制御回路とを有する構成とした磁気テープ記録再生装置。
【発明の詳細な説明】
【０００１】
【発明の属する技術分野】
本発明は磁気テープ記録再生装置に係り、特に、モータによってカムギヤが回動されて複数の動作モードとされるＤＡＴストリーマに関する。
コンピュータ装置の大容量の外部記憶装置としてＤＡＴ（Digital Audio Tape Recorder)ストリーマが使用されている。このＤＡＴストリーマは、モータによってカムギヤが回動され、カムギヤの回動に応じて種々の機構を動作させて、磁気テープカセット装着動作モード、テープ装填動作モード、記録再生モード等とされる構成である。この構成では、動作モードの切り換わりの検出を高い信頼性で行うことが求められる。
【０００２】
【従来の技術】
従来のＤＡＴストリーマの動作モード切り換わり検出装置１０は、図６に示すように、カムギヤと同期して回動する回転板１１に三つの接触片１２−１，１２−２，１２−３を設け、この三つの接触片１２−１，１２−２，１２−３が回路基板１３の所定の形状の電極パターン１４上を摺動するようにし、接触片１２−１，１２−２，１２−３の出力の組み合わせによって、動作モード切り換わりを検出するようになっている。
【０００３】
【発明が解決しようとする課題】
この動作モード切り換わり検出装置１０は金属接触式であるため、接触圧の大小、塗布されているグリースの品質、侵入したゴミ等によって、出力の信頼性が影響を受け易かった。
また、接触圧を高めると出力の信頼性が高まるけれども、電極パターン１４の摩耗の進行が早まり、寿命が短かくなってしまう。
【０００４】
そこで、本発明は上記課題を解決した磁気テープ記録再生装置を提供することを目的とする。
【０００５】
【課題を解決するための手段】
請求項１の発明は、モータと、減速ギヤ機構と、モードギヤと、カムギヤと、カセットハウジング機構と、ローディングポールと、回転ヘッドを有する回転ドラムと、キャプスタンと、ピンチローラと、ヘッドクリーニング部材とを有し、
カセットをカセットハウジング内に挿入すると、前記モータが始動して正転し、前記減速ギヤ機構、前記モードギヤを介して前記カムギヤが回動され、前記カセットハウジング機構がカセットを装着する方向に動作され、前記カセットが途中まで移動され、セミイジェクトモードとなり、続いて、前記カセットが装着されてアンスレッドモードとなり、続いて、前記ローディングポールが前記回転ドラムに近づく方向に移動されて、磁気テープが前記カセットから引き出されて前記回転ドラムに巻付けられて停止モードとなり、続いて、前記ピンチローラが前記キャプスタンに圧着して、前記磁気テープが走行されて記録再生モードとなり、最後にヘッドクリーニング部材が前記回転ドラムに当接して回転ヘッドクリーニングモードとなり、この状態から前記モータが逆転すると、記録再生モード、停止モード、アンスレッドモード、セミイジェクトモードと変化して、最後に元のイジェクトモードとなるように動作モードを切り換えられる磁気テープ記録再生装置であって、
前記カセットが装着されたことを検出するスイッチと、
前記モードギヤの上面に形成して上面に一体に、同心円状に形成してあり、リブ部と切り欠き部とよりなる第１及び第２の環状のリブと、
夫々前記第１、第２の環状のリブを跨いで配置である第１及び第２のフォトカプラと
該スイッチの出力と該第１のフォトカプラの出力と第２のフォトカプラの出力との組み合わせに基づいて、イジェクトモード、セミイジェクトモード、アンスレッドモード、停止モード、記録再生モード、回転ヘッドクリーニングモードへの切り換わりを検出する制御回路とを有する構成としたものである。
【０００９】
【発明の実施の形態】
図１は本発明の一実施例になるＤＡＴストリーマ２０を示す。磁気テープ記録再生装置としてのＤＡＴストリーマ２０は、モータ２１と、モードギヤ２２と、カムギヤ２３と、カセットハウジング機構２４と、ローディングポール２５、２６と、回転ヘッドを有する回転ドラム２７と、キャプスタン２８と、ピンチローラ２９と、ヘッドクリーニング部材３０等を有する。
【００１０】
ＤＡＴストリーマ２０は、ＤＡＴカセット３１をカセットハウジング３２内に挿入すると、モータ２１が始動して正転し、図３及び図４に示すように、減速ギヤ機構３３、モードギヤ２２を介してカムギヤ２３が約３３０度の角度範囲で反時計方向に回動される。カムギヤ２３には、上面と下面とに分けて第１のカム及び第２のカムが形成してある。カムギヤ２３の回動すると、カセットハウジング機構２４、ローディングポール２５、２６、ピンチローラ２９等が動作され、ＤＡＴストリーマ２０は種々の動作モードとされる。この後、モータ２１が逆転してカムギヤ２３が逆転して時計方向に回動されると、ＤＡＴストリーマ２０は上記とは逆の順序で動作する。
【００１１】
実際には、カムギヤ２３は操作者のボタン操作に応じて時計方向又は反時計方向に所定角度回動してその位置で停止するけれども、ここでは、説明の便宜上、カムギヤ２３が反時計方向に最終位置まで回動され、続いて、時計方向に最終位置まで回動されて元の基準の位置に戻ると仮定する。カムギヤ２３が反時計方向に回動するのはロードモードである。カムギヤ２３が時計方向に回動するのはアンロードモードである。
【００１２】
最初はＤＡＴストリーマ２０は図２（Ａ）に示すイジェクトモードにある。カムギヤ２３が反時計方向に回動を開始すると、第１のカム２３ａ（図４参照）によってリンク（図示せず）が動かされて、カセットハウジング機構２４がカセットを装着する方向に動作され、ＤＡＴカセット３１が途中まで移動され、ＤＡＴストリーマ２０は図２（Ｂ）に示すセミイジェクトモードとなる。次いで、ＤＡＴカセット３１が装着され、ＤＡＴストリーマ２０は図２（Ｃ）に示すアンスレッドモードとなる。
【００１３】
次いで第２のカム２３ｂ（図４参照）によってリンク及びスライド板（共に図示せず）が動かされて、ローディングポール２５、２６が回転ドラム２７に近づく方向に移動されて、図２（Ｄ）に示すように装着されたＤＡＴカセット３１から磁気テープ３４を引き出して回転ドラム２７に巻付けられ、ピンチローラ２９はまだキャプスタン２８に圧着してしない状態となり、ＤＡＴストリーマ２０は停止モードとなる。
【００１４】
次いで、図２（Ｅ）に示すようにピンチローラ２９がキャプスタン２８に圧着して、磁気テープ３４が走行され、ＤＡＴストリーマ２０は記録再生モードとなる。
最後に、図２（Ｆ）に示すようにヘッドクリーニング部材３０が回転ドラム２７に当接して、ＤＡＴストリーマ２０は回転ヘッドクリーニングモードとなる。
【００１５】
カムギヤ２３が時計方向に回動されると、ＤＡＴストリーマ２０は、図２（Ｅ）に示す記録再生モード、図２（Ｄ）に示す停止モード、図２（Ｃ）に示すアンスレッドモード、図２（Ｂ）に示すセミイジェクトモードと変化して、最後に図２（Ａ）に示すイジェクトモードとなる。
実際には、各動作モードの切り換わりを検出する動作モード切り換わり検出装置４０からの動作モード情報が制御回路４１に供給されており、操作者が操作パネル４２を操作することよって操作パネル４２から動作モード指令が制御回路４１に入力され、制御回路４１が動作モード情報と動作モード指令とに基づいモータ駆動信号を出力し、モータ駆動回路４３によってモータ２１が駆動される構成である。操作者のボタン操作に応じてモータ２１が適宜駆動され、カムギヤ２３が時計方向又は反時計方向に所定角度回動してその位置まで回動されてその位置で停止し、ＤＡＴストリーマ２０は目的とする動作モードとされる。
【００１６】
次に、動作モード切り換わり検出装置４０について説明する。
動作モード切り換わり検出装置４０は、図３及び図４に併せて示すように、カムギヤ２３と同期してカムギヤ２３とは逆方向に回動するモードギヤ２２と、このモードギヤ２２の上面側の第１、第２の環状のリブ２２ａ，２２ｂと、第１のフォトカプラ５１と、第２のフォトカプラ５２と、カセット装着認識スイッチ５３と、制御回路４１の一部とよりなる。図３はイジェクトモード時の状態である。モードギヤ２２が特許請求の範囲の欄記載の回動体に対応し、第１、第２の環状のリブ２２ａ，２２ｂが被検出部に対応し、第１、第２のフォトカプラ５１、５２が、光センサに対応する。
【００１７】
第１、第２の環状のリブ２２ａ，２２ｂは、モードギヤ２２の上面に一体に、同心円状に形成してある。第１の環状のリブ２２ａはリブ部２２ａ１、２２ａ２と切り欠き部２２ａ１０、２２ａ１１とよりなる。第２の環状のリブ２２ｂはリブ部２２ｂ１と切り欠き部２２ｂ１０とよりなる。第１のフォトカプラ５１及び第２のフォトカプラ５２は、Ｕ字形状本体に発光素子と受光素子とが対向するように組み込んである構造であり、モードギヤ２２の上面を覆うようにシャーシに取り付けてある固定のプリント板５４に固定してある。
【００１８】
第１のフォトカプラ５１は、第１の環状のリブ２２ａを跨いで、発光素子よりの光がリブ部２２ａ１、２２ａ２によって遮られて受光素子に届かず、切り欠き部２２ａ１０、２２ａ１１の箇所では発光素子よりの光が受光素子に届くように設けてある。第１のフォトカプラ５１は、受光素子が光を受光していないときにはＬレベル（「０」）であり、受光素子が光を受光するとＨレベル（「１」）となる信号を出力する。第１の環状のリブ２２ａは所定の形状を有しており、モードギヤ２２の回動に応じて、第１のフォトカプラ５１は、図５（Ｄ）に示す信号を出力する。
【００１９】
第２のフォトカプラ５２は、第２の環状のリブ２２ｂを跨いで、発光素子よりの光がリブ部２２ｂ１によって遮られて受光素子に届かず、切り欠き部２２ｂ１０の箇所では発光素子よりの光が受光素子に届くように設けてある。第２のフォトカプラ５２は、受光素子が光を受光していないときにはＬレベル（「０」）であり、受光素子が光を受光するとＨレベル（「１」）となる信号を出力する。第２の環状のリブ２２ｂは所定の形状を有しており、モードギヤ２２の回動に応じて、第２のフォトカプラ５２は、図５（Ｅ）に示す信号を出力する。
【００２０】
カセット装着認識スイッチ５３は装着されたＤＡＴカセット３１の底面で押される部位に設けてあり、ＤＡＴカセット３１が装着されていないときにはＨレベル（「１」）であり、ＤＡＴカセット３１が装着されてＤＡＴカセット３１よって押されるとＬレベル（「０」）となる信号を出力する。カセット装着認識スイッチ５３は図５（Ｃ）に示す信号を出力する。
【００２１】
制御回路４１の一部は、第１のフォトカプラ５１からの信号、第２のフォトカプラ５２からの信号、カセット装着認識スイッチ５３からの信号の組み合わせによって、動作モードの１２の切り換えを検出する動作を行う部分である。動作モードの１２の切り換えはロード時の６つの切り換えとアンロード時の６つの切り換えとの総計である。
【００２２】
一つのセンサが「０」と「１」との信号を出力し、この信号から動作モードの１２の切り換えを検出するためにはセンサの数が２つでは不足であり、３つのセンサが必要である。しかし、モードギヤ２２について３つのセンサを設けることは、スペース上困難である。そこで、カセット装着認識スイッチ５３を利用した構成としてある。
【００２３】
図５（Ａ）はロード時の、第１のフォトカプラ５１からの信号、第２のフォトカプラ５２からの信号、カセット装着認識スイッチ５３からの信号の順での組み合せ信号の変化を示す。図５（Ｂ）はアンロード時の、組み合せ信号の変化を示す。
上記のロードの開始時には、制御回路４１には第１のフォトカプラ５１からの信号、第２のフォトカプラ５２からの信号、カセット装着認識スイッチ５３からの信号の順で、「１００」の組み合せ信号が供給されている。
【００２４】
モードギヤ２２はカムギヤ２３と同期して時計方向に回動する。モードギヤ２２が回動を開始すると、組み合せ信号は「１１０」に変わり、制御回路４１はＤＡＴストリーマ２０がイジェクトモードとなったことを検出する。モードギヤ２２が回動して約５５度に到ると、組み合せ信号は「１１１」に変わり、制御回路４１はＤＡＴストリーマ２０がイジェクトモードからセミイジェクトモードに切り換わったことを検出する。モードギヤ２２が更に回動して約１１０度に到ると、組み合せ信号は「００１」に変わり、制御回路４１はＤＡＴストリーマ２０がセミイジェクトモードからアンスレッドモードに切り換わったことを検出する。モードギヤ２２が更に回動して約２３０度に到ると、組み合せ信号は「０１１」に変わり、制御回路４１はＤＡＴストリーマ２０がアンスレッドモードから停止モードに切り換わったことを検出する。モードギヤ２２が更に回動して約３１０度に到ると、組み合せ信号は「０１０」に変わり、制御回路４１はＤＡＴストリーマ２０が停止モードから記録再生モードに切り換わったことを検出する。モードギヤ２２が更に回動して約３３５度に到ると、組み合せ信号は「０００」に変わり、制御回路４１はＤＡＴストリーマ２０が記録再生モードから回転ヘッドクリーニングモードに切り換わったことを検出する。
【００２５】
この状態からアンロードが行われると、組み合せ信号は「０００」から「０１０」に変わり、制御回路４１はＤＡＴストリーマ２０がアンロード時の回転ヘッドクリーニングモードに切り換わったことを検出する。モードギヤ２２が反時計方向に回動して３１０度に到ると、組み合せ信号は「０１１」に変わり、制御回路４１はＤＡＴストリーマ２０が回転ヘッドクリーニングモードから記録再生モードに切り換わったことを検出する。モードギヤ２２が更に回動して２３０度に到ると、組み合せ信号は「００１」に変わり、制御回路４１はＤＡＴストリーマ２０が記録再生モードから停止モードに切り換わったことを検出する。モードギヤ２２が更に回動して１１０度に到ると、組み合せ信号は「０１１」に変わり、制御回路４１はＤＡＴストリーマ２０が停止モードからアンスレッドモードに切り換わったことを検出する。モードギヤ２２が更に回動して５５度に到ると、組み合せ信号は「１１０」に変わり、制御回路４１はＤＡＴストリーマ２０がアンスレッドモードからセミイジェクトモードに切り換わったことを検出する。モードギヤ２２が更に回動して０度に到ると、組み合せ信号は「１００」に変わり、制御回路４１はＤＡＴストリーマ２０がセミイジェクトモードからイジェクトモードに切り換わったことを検出する。
【００２６】
第１のフォトカプラ５１及び第２のフォトカプラ５２は第１、第２の環状のリブ２２ａ，２２ｂに対して非接触であるため、侵入したごみがあっても、「０」と「１」との信号が確実に出力され、よって、動作モードが切り換わったことの検出を高い信頼性で行うことが出来、また、摩耗の心配もない。
また、カセット装着認識スイッチ５３の出力を利用しているため、モードギヤ２２に対向するフォトカプラは２つで済む。よって、径の限られたモードギヤ２２に対して、第１、第２のフォトカプラ５１、５２を無理なく配置することが出来る。
【００２７】
【発明の効果】
以上説明したように、請求項１の発明によれば、磁気テープカセットが装着されたことを検出するスイッチの出力を利用しない場合に比べて、光センサの数を少なく出来、よって、回動体の径が小さい場合であっても、光センサを無理なく配置することが出来る。また、光センサの数が少なくて済むため、動作モード切り換わり検出装置の製造コストを安価に出来る。また、スイッチの出力と該第１のフォトカプラの出力と第２のフォトカプラの出力との組み合わせに基づいて、制御回路がイジェクトモード、セミイジェクトモード、アンスレッドモード、停止モード、記録再生モード、回転ヘッドクリーニングモードへの切り換わりを検出する構成としたものであるため、モードがイジェクトモード、セミイジェクトモード、アンスレッドモード、停止モード、記録再生モード、回転ヘッドクリーニングモードと切り換わる磁気テープ記録再生装置の小型に且つ安価な製造コストで実現することが出来る。
【図面の簡単な説明】
【図１】本発明の一実施例になるＤＡＴストリーマの全体構成を示す図である。
【図２】図１のＤＡＴストリーマの各動作モードの状態を概略的に示す図である。
【図３】図１中、動作モード切り換わり検出装置の一部を示す図である。
【図４】図１中、動作モード切り換わり検出装置の一部を示す図である。
【図５】動作モード切り換わり検出装置の動作を説明する図である。
【図６】従来例を示す図である。
【符号の説明】
２０  ＤＡＴストリーマ
２１  モータ
２２  モードギヤ
２３  カムギヤ
２４  カセットハウジング機構
２５，２６  ローディングポール
２７  回転ドラム
２８  キャプスタン
２９  ピンチローラ
３０  ヘッドクリーニング部材
３１  ＤＡＴカセット
４０  動作モード切り換わり検出装置
４１  制御回路
５１  第１のフォトカプラ
５２  第２のフォトカプラ
５３  カセット装着認識スイッチ
【図１】
0003697911.tif 000002
【図２】
0003697911.tif 000003
【図３】
0003697911.tif 000004
【図４】
0003697911.tif 000005
【図５】
0003697911.tif 000006
【図６】
0003697911.tif 000007